(57)【要約】【課題】  基地局と移動機との間で通信を行う移動通信システムにおいて、移動機との間の無線伝送路の状態がより良い基地局から情報の送信を可能にする構成を提供することを目的とする。【解決手段】  移動機と通信を行うべき一または複数の基地局を決定し、移動機に配信すべき情報を上記決定された一または複数の基地局に分配し、各基地局は、それぞれ、分配された情報を移動機に対して送信するように構成した。【選択図】  図１６
2005006358.tif 000002
【特許請求の範囲】
【請求項１】
基地局と移動機との間で通信を行う移動通信システムにおける当該移動機に対する情報配信方法において、
移動機と通信を行うべき一または複数の基地局を決定し、
移動機に配信すべき情報を上記決定された一または複数の基地局に分配し、
各基地局は、それぞれ、分配された情報を移動機に対して送信するようにした移動通信システムにおける情報配信方法。
【請求項２】
請求項１記載の移動通信システムにおける情報配信方法において、
移動機との間の無線伝送路の状態に基づいて当該移動機と通信を行うべき一または複数の基地局を決定するようにした移動通信システムにおける情報配信方法。
【請求項３】
請求項１または２記載の移動通信システムにおける情報配信方法において、
移動機に配信すべき情報の送信に対して要求される性能に基づいて当該移動機と通信を行うべき一または複数の基地局を決定するようにした移動通信システムにおける情報配信方法。
【請求項４】
請求項１乃至３いずれか記載の移動通信システムにおける情報配信方法において、
各基地局における配信すべき情報の送信待ち状態に基づいて当該移動機と通信を行うべき一または複数の基地局を決定するようにした移動通信システムにおける情報配信方法。
【請求項５】
請求項１乃至４いずれか記載の移動通信システムにおける情報配信方法において、
決定された複数の基地局に、移動機に配信すべき情報を重複なく分配するようにした移動通信システムにおける情報配信方法。
【請求項６】
請求項１乃至４いずれか記載の移動通信システムにおける情報配信方法において、
移動機に配信すべき情報の一部または全部を複製し、決定された複数の基地局に当該配信すべき情報の一部または全部を重複して分配するようにした移動通信システムにおける情報配信方法。
【請求項７】
請求項１乃至６いずれか記載の移動通信システムにおける情報配信方法において、
決定された複数の基地局に対して、送信待ち状態となる情報の量が少ない基地局ほどより多くの情報を分配するようにした移動通信システムにおける情報配信方法。
【請求項８】
請求項１乃至６いずれか記載の移動通信システムにおける情報配信方法において、
決定された複数の基地局に対して、移動機との間の無線伝送路の状態がより良好な基地局ほどより多くの情報を分配するようした移動通信システムにおける情報配信方法。
【請求項９】
請求項１乃至６いずれか記載の移動通信システムにおける情報配信方法において、
決定された複数の基地局に対する情報の分配量を、各基地局にて送信待ち状態となる情報の量及び移動機との間の無線伝送路の状態に基づいて決めるようにした移動通信システムにおける情報配信方法。
【請求項１０】
請求項９記載の移動通信システムにおける情報配信方法において、
決定された複数の基地局に対して、移動機との間の無線伝送路の状態がより良好となる基地局ほど送信待ち状態となる情報の量が多くなるように情報を分配するようにした移動通信システムにおける情報配信方法。
【請求項１１】
請求項１乃至１０いずれか記載の移動通信システムにおける情報配信方法において、
各基地局に送信待ち状態となって滞留される情報の状態が所定の状態となるときに、送信待ち状態となる情報の一部または全部を回収し、
この回収した情報を配信すべき情報として一または複数の基地局に再分配するようにした移動通信システムにおける情報配信システム。
【請求項１２】
請求項１１記載の移動通信システムにおける情報配信方法において、
上記情報を回収した際、その回収された情報が移動機に送信されずに滞留していた時間が所定時間以上となる場合に、その回収された情報を破棄するようにした移動通信システムにおける情報配信方法。
【請求項１３】
基地局と移動機とを有する移動通信システムにおける当該移動機に対する情報配信制御を行う情報配信制御装置において、
移動機と通信を行うべき一または複数の基地局を決定する基地局決定手段と、
該基地局決定手段にて決定された基地局に対して移動機に配信すべき情報を分配する情報分配手段とを有し、
各基地局のそれぞれが、該情報分配手段にて分配された情報を移動機に対して送信できるようにした情報配信制御装置。
【請求項１４】
請求項１３記載の情報配信制御装置において、
上記基地局決定手段は、移動機との間の無線伝送路の状態に基づいて当該移動機と通信を行うべき一または複数の基地局を決定するようにした情報配信制御装置。
【請求項１５】
請求項１３または１４記載の情報配信制御装置において、
上記基地局決定手段は、移動機に配信すべき情報の送信に対して要求される性能に基づいて当該移動機と通信を行うべき一または複数の基地局を決定するようにした情報配信制御装置。
【請求項１６】
請求項１３乃至１５いずれか記載の情報配信制御装置において、
上記基地局決定手段は、各基地局における移動機に配信すべき情報の送信待ち状態に基づいて当該移動機と通信を行うべき一または複数の基地局を決定するようにした情報配信制御装置。
【請求項１７】
請求項１３乃至１６いずれか記載の情報配信制御装置において、
上記情報分配手段は、決定された複数の基地局に対して、移動機に配信すべき情報を重複なく分配するようにした情報配信制御装置。
【請求項１８】
請求項１３乃至１６いずれか記載の情報配信制御装置において、
上記情報配分手段は、移動機に配信すべき情報の一部または全部を複製し、決定された複数の基地局に当該配信すべき情報の一部または全部を重複して分配するようにした情報配信制御装置。
【請求項１９】
請求項１３乃至１８いずれか記載の情報配信制御装置において、
上記情報配分手段は、決定された複数の基地局に対して、送信待ち状態となる情報の量が少ない基地局ほどより多くの情報を配分するようにした情報配信制御装置。
【請求項２０】
請求項１３乃至１８いずれか記載の情報配信制御装置において、
上記情報配分手段は、決定された複数の基地局に対して、移動機との間の無線伝送路の状態がより良好な基地局ほどより多くの情報を分配するようした情報配信制御装置。
【請求項２１】
請求項１３乃至１８いずれか記載の情報配信制御装置において、
上記情報配分手段は、決定された複数の基地局に対する情報の分配量を、各基地局にて送信待ち状態となる情報の量及び移動機との間の無線伝送路の状態に基づいて決めるようにした情報配信制御装置。
【請求項２２】
請求項２１記載の情報配信制御装置において、
上記情報配分手段は、決定された複数の基地局に対して、移動機との間の無線伝送路の状態がより良好となる基地局ほど送信待ち状態となる情報の量が多くなるように情報を分配するようにした情報配信制御装置。
【請求項２３】
請求項１３乃至２２いずれか記載の情報配信制御装置において、
更に、各基地局に送信待ち状態となって滞留される情報の状態が所定の状態となるときに、送信待ち状態となる情報の一部または全部を回収する情報回収手段を有し、
上記情報配分手段は、この回収した情報を配信すべき情報として一または複数の基地局に再分配するようにした情報配信制御装置。
【請求項２４】
請求項２３記載の情報配信制御装置において、
更に、上記情報を回収した際、その回収された情報が移動機に送信されずに滞留していた時間が所定時間以上となる場合に、その回収された情報を破棄する情報破棄手段を有する情報配信制御装置。
【発明の詳細な説明】
【技術分野】
【０００１】
本発明は、移動通信システムにおけるバースト信号の送信方法及び装置に係り、詳しくは、移動通信システムにおける送信局と受信局との間の無線伝送路の状態に応じて定められた送信電力値及び／又は送信レート値にて当該送信局から受信局にバースト信号を送信する際のバースト信号の送信方法及び、そのような送信電力値及び／又は送信レート値にてバースト信号を受信局に送信する送信装置に関する。また、本発明は、上記バースト信号の送信方法及び装置を適用できる情報配信方法にも関する。
【背景技術】
【０００２】
移動通信システムでは、サービスエリアに数多く配置された基地局と、位置及び電波の送受信状態が刻々と変わる移動局との間でバースト信号の送受信を行う際、いかに適切な基地局が選択されるか、いかに適切な送信電力を決定するか、いかに適応変調における送信レートを決定するか、いかに適切な時期にバースト信号（データ）の送信を行うかが、ピーク送信電力の低減及びシステム容量増大にとって重要な課題である。特に、データ量や要求される性能、品質が種々異なるマルチメディア通信では、送信要求に対して必要かつ十分な資源（電力資源、周波数資源など）を各通信に割り振り、これによってサービスの保証とユーザ容量の増大を図ることも重要な課題となっている。
【０００３】
従来の移動通信システムにおけるバースト信号の送信は、次のようになされている。即ち、送信局（例えば、基地局）に提供されるバースト信号が待ち行列に順次蓄積され、この待ち行列内のバースト信号が遅滞なく取り出されて、直後の送信機会（スロットのタイミングなど）にその取り出されたバースト信号が受信局（例えば、移動局）に送信される。これにより、送信局に順次提供されるバースト信号は、その遅延が最小となるように受信局に送信される。
【０００４】
また、従来の移動通信システムでは、送信局と受信局との間の無線伝送路の状態に基づいて送信電力値及び／又は送信レート値が決められている。即ち、送信局と受信局との間の伝送路状態（例えば、送信局と受信局との間の距離に依存した信号減衰率等）が測定され、その測定値に基づいて、受信局にて所定の受信品質（例えば、受信レベル）での信号が受信できるように、送信電力値及び／又は送信レート値が決められている。このようにして送信局から受信局に対して送信されるべきバースト信号の送信電力値及び／又は送信レート値が決められることにより、移動局の移動や、選択される基地局の変更などによって送信局と受信局との間の相対的な位置関係や伝送波の減衰特性等が種々変化しても、受信局では、常に所定の受信品質にてバースト信号を受信することができる。
【０００５】
上記のように送信局と受信局との間の無線伝送路の状態に応じて決められた送信電力値及び／又は送信レート値にてバースト信号が送信局から受信局に送信される移動通信システムにおいて、送信局に提供されるバースト信号をその遅延が最小となるように送信時期が決められる従来のバースト信号の送信方法では、その送信すべき時期に、無線伝送路の状態が悪く（例えば、フェージングが大きく落ち込むなど）、その状態に応じて定められた送信電力値が非常に大きくなる場合がある。このような場合、その定められた送信電力値にてバースト信号を送信すると、ピーク送信電力値が大きくなって送信局での消費電力が増大してしまう。また、そのピーク送信電力値の増大に伴う平均送信電力値の増大によって他の移動局の通信に対する干渉が大きくなってしまう。  
このように、従来のバースト信号の送信方法では、送信局と受信局との間の無線伝送路の状態を全く考慮せずに、単に遅延が最小となるようにバースト信号の送信すべき時期を決定していたので、バースト信号を送信する際にその無線伝送路の状態に応じて定められる送信電力値及び／又は送信レート値が移動通信システムにとって必ずしも適当なものになっていない。
【０００６】
また、上記のような移動通信システムにおいて、移動機に対する情報の配信は次の通り行われる。
【０００７】
周期的に、移動機と複数の基地局との間の無線伝送路のパスロス（または、その平均）が測定され、その測定値が最小となる基地局が１局選択される。そして、その選択された基地局から移動機に対して無線通信によりデータが配信される。
【０００８】
上記基地局を選択する周期は、比較的長く（例えば、数秒）設定することも、比較的短く（例えば、数ミリ秒）設定することも可能である。この周期を比較的長く設定した場合、実質的に、移動機の現在位置から最も距離的に近い基地局からデータの配信が行われるようになり、平均的に安定した状態での移動機へのデータの配信が可能となる。また、上記周期を比較的短く設定した場合、瞬時パスロスが最小となる１つの基地局が微小時間毎に逐次選択され、移動機での受信レベルが略一定となるように送信電力制御が行われる移動通信システムでは、その送信電力を低減させることが可能となる。
【０００９】
上記のように移動機に対して送信すべき基地局を選択する周期が比較的長い場合、比較的長い時間継続して単一の基地局から移動機に対して情報が配信される。従って、この比較的長い時間継続して単一の基地局から移動機に対してなされる情報配信は、移動機と各基地局との間の無線伝送路においてランダムに発生するフェージングの瞬時的な変動を受けやすい。例えば、移動機と当該基地局との間の無線伝送路におけるパスロスが瞬時的に増大した場合（フェージングの瞬時的な増大）、移動機での受信情報の誤り率が増大したり、そのパスロスを補うために瞬時的に送信電力が増大してしまう。
【００１０】
このように、移動機に対して送信すべき基地局を選択する周期が比較的長くなる場合、移動機での情報の受信が必ずしも良好な状態でなされない。
【００１１】
また、上記のようにして移動機に対して送信すべき基地局を選択する周期が比較的短い場合、パスロスの測定、その測定値に基づいた基地局の選択などの処理を比較的短い周期で行わなければならないので、情報配信に係る処理のための制御量が多くなってしまう。  
【発明の開示】
【発明が解決しようとする課題】
【００１２】
そこで、本発明の課題は、バースト信号を送信する際にその無線伝送路の状態に応じて定められる送信電力値及び／又は送信レート値が移動通信システムにとってできるだけ不適当なものとならないように、当該バースト信号の送信時期を決定できるようなバースト信号の送信方法及び装置を提供することである。
【００１３】
また、本発明は、情報配信に係る制御量をできるだけ少なくしつつ、移動機での情報の受信ができるだけ良好な状態でなされるようにした移動通信システムにおける情報配信方法、及び情報配信に係る制御量をできるだけ少なくしつつ、移動機での情報の受信ができるだけ良好な状態でなされるようにした情報配信制御装置を提供することを課題とする。
【課題を解決するための手段】
【００１４】
上記課題は以下の本発明で解決できる。
（１）移動通信システムにおける送信局と受信局との間の無線伝送路の状態に応じて定められた送信電力値及び／又は送信レートにて当該送信局から受信局にバースト信号を送信する際のバースト信号の送信方法において、当該無線伝送路の状態及び／又は当該信号の送信待ちの状態により予め定めた基準と当該送信局と受信局との間の無線伝送路の状態との比較結果に基づいてバースト信号を送信すべきか否かを判定し、バースト信号を送信すべきであると判定されたときに、送信局から受信局に対してバースト信号を送信するように構成される。
【００１５】
このようなバースト信号の送信方法では、当該無線伝送路の状態及び／又は当該信号の送信待ちの状態により予め定めた基準と当該送信局と受信局との間の無線伝送路の状態との比較結果に基づいてバースト信号を送信すべきであると判定されると、その無線伝送路の状態に応じて定められた送信電力値にて当該バースト信号送信局から受信局に送信される。
【００１６】
このようなバースト信号の送信方法によれば、上記基準と無線伝送路の状態との比較結果には当該無線伝送路の状態が反映されるので、その無線伝送路の状態を考慮してバースト信号の送信時期（バースト信号を送信すべきか否か）が決定されることになる。
【００１７】
上記送信局は、移動通信システムの基地局及び移動局のいずれであってもよい。基地局が送信局となった場合には移動局が受信局となり、移動局が送信局となった場合には基地局が受信局となる。
【００１８】
上記基準は、当該基準と無線伝送路の状態との比較結果に基づいて判定されるバースト信号の送信時期に当該無線伝送路の状態に基づいて定められる送信電力値及び／又は送信レートが、移動通信システムにとってできるだけ不適当にならないように定められる。また、この基準は、時間帯毎、通信を行う移動局毎、あるいは、通信を行う基地局毎に適応的に変化させるようにしてもよい。
（２）無線伝送路の状態を直接判定できるという観点から、上記バースト信号の送信方法において、上記基準は、当該無線伝送路の状態に基づいて定められるように構成することができる。
【００１９】
上記基準を定める際の基礎となる無線伝送路の状態は、バースト信号の伝送状態を直接的または間接的に表すものであって、例えば、送受信局間の瞬時パスロス変動値、データ伝送誤り率、伝送スループット、送受信局間距離、送受信局の相対的位置関係、受信局が他の送信局から受ける干渉電力値、同じアンテナからバースト信号を送信する相手受信局の数、送信希望時刻、送信データ量等及び、それらの短区間平均、長区間平均のいずれか、受信装置側で判定した受信側送信可否判定、またはそれら複数の組み合わせにて表すことができる。これらは、送信装置側で直接測定することにより取得することもできるし、受信装置側で観測したものを制御信号として送信することにより取得することもできる。受信装置側で観測する場合、その測定値をそのまま実数等の形式で制御信号として送信装置側へ送信することもできるし、これを受信側で設けた基準を元に判定し２値又はそれ以上の有限段階の数値として表現した受信側送信可否判定として送信装置側へ送信することもできる。
（３）上記のようにして無線伝送路の状態を考慮してバースト信号を送信すべきか否かを判定し、その判定結果に基づいてバースト信号を送信するようにする場合、送信すべきバースト信号として送信局に提供されるバースト信号の量が多いと、バースト信号の待ち時間が長くなってしまう。このような状況は、移動通信システムにとって適当な状況ではない。そこで、このような状況を回避するという観点から、本発明は、上記バースト信号を送信すべきか否かの判定が、バースト信号の送信待ち状態に依存してなされるように構成することができる。
【００２０】
このようなバースト信号の送信方法では、バースト信号の待ち状態に依存するようにバースト信号を送信すべきか否かの判定が行われるので、送信電力値及び／又は送信レートをできるだけ適当な状態に保持しつつ、送信局に提供されるバースト信号をできるだけ遅滞なく送信することができるようになる。
【００２１】
上記バースト信号の送信待ち状態は、送信局に提供されたバースト信号が送信されるまでの待ち状態を直接的または間接的に表すものであって、例えば、送信待ちの状態となるバースト信号のデータ量、待ち状態となるバースト信号の最大遅延時間、待ち状態となるバースト信号の平均遅延時間、直前の送信状況のいずれかまたはそれら複数の組み合わせによって表すことができる。
（４）上記バースト信号を送信すべきか否かの判定が、上記基準と無線伝送路の状態の比較結果に基づいてなされることから、上記バースト信号の待ち状態は、上記基準及び無線伝送路の状態のいずれに反映させてもよい。バースト信号を送信すべきか否かの判定にバースト信号の待ち状態を容易に反映できるという観点から本発明は、上記バースト信号の送信方法において、上記基準が、バースト信号の送信の待ち状態に依存するように定められるように構成することができる。
（５）バースト信号にてデータを送信する場合、そのバースト信号の送信に対して種々の性能が要求される。このような要求に対して適正に対応できるという観点から、本発明は、上記各バースト信号の送信方法において、バースト信号を送信すべきか否かの判定が、更に、バースト信号の送信に対して要求される性能に依存してなされるように構成することができる。
【００２２】
このようにバースト信号を送信すべきか否かの判定が当該バースト信号の送信に対して要求される性能に依存されてなされるので、送信電力値及び／又は送信レートをできるだけ適当な状態に保持しつつ、要求される性能を満足するようにバースト信号を送信することができるようになる。例えば、比較的速い伝送速度を要求されるデータのバースト信号であれば、多少無線伝送状態が悪くても、その状態に応じた送信電力値及び／又は送信レートにてバースト信号を送信することができる。
【００２３】
上記バースト信号の送信に対して要求される性能は、バースト信号を送信する際に要求される性能を直接的または間接的に表すものであって、例えば、要求される伝送速度、要求される伝送優先度、要求される誤り率、要求される最大遅延量、要求される平均遅延量などのいずれかまたはそれらの複数の組み合わせによって表すことができる。
（６）上記バースト信号を送信すべきか否かの判定が、上記基準と無線伝送路の状態の比較結果に基づいてなされることから、上記バースト信号の送信に対して要求される性能は、上記基準及び無線伝送路の状態のいずれに反映させてもよい。バースト信号を送信すべきか否かの判定にバースト信号の送信に対して要求される性能を容易に反映できるという観点から、本発明は、上記バースト信号の送信方法において、上記基準が、バースト信号の送信に対して要求される性能に依存するように定められるように構成することができる。
（７）  更に、上記バースト信号の送信に対して要求される性能により電力資源を適正に分配できるという観点から、本発明は、上記各バースト信号の送信方法において、送信すべきバースト信号の送信電力値及び送信レートの少なくとも一方が、更に、当該バースト信号の送信に対して要求される性能に依存するように定められるように構成することができる。
（８）上記基準と無線伝送路の状態とを比較する際、もともと無線伝送路の状態に基づいて送信電力値及び／又は送信レートが定められるので、処理を容易にできるという観点から、本発明は、上記基準は基準送信電力値及び／又は基準送信レートとして表され、該基準送信電力値及び／又は基準送信レートと上記無線伝送路の状態に応じて定められた送信電力値及び／又は送信レートとの比較結果に基づいてバースト信号を送信すべきか否かを判定するように構成することができる。
（９）セルラ移動通信においては、他セルへの干渉電力軽減のために、一つの基地局からの送信電力の総和に上限を設ける場合がある。この場合は、複数の無線伝送路の状態（例えば総送信電力値）を考慮しなければならない。この観点から、本発明は、前記無線伝送路の状態は、前記送信局と当該バースト信号の宛先である受信局との無線伝送路の状態のみならず、他の受信局との間の無線伝送路の状態も含むようにすることができる。
【００２４】
例えば、前記基準は基準総電力値であり、複数のバースト信号の送信電力値の総和が前記基準総電力値を超えないように前記複数のバースト信号から送信可能なバーストを選択する。この選択において、例えば所定の順番で前記複数のバースト信号からバースト信号を選択して送信電力値の合計を求め、この合計が前記基準総電力値を超えない場合には、当該選択されたバースト信号は送信可であると判定する。
（１０）また、上述した課題を解決するため、本発明は、受信局との間の無線伝送路の状態に応じて定められた送信電力値及び／又は送信レートにてバースト信号を当該受信局に送信する移動通信システムにおける送信装置において、バースト信号の送信可否基準を決定する送信可否基準決定手段と、該送信可否基準決定手段にて決定された送信可否基準と当該受信局との間の無線伝送路の状態との比較結果に基づいてバースト信号を送信すべきか否かを判定する判定手段と、バースト信号を送信すべきであると上記判定手段にて判定されたときに、バースト信号を受信局に対して送信する送信制御手段とを有するように構成される。
（１１）更に、上述した課題を解決するため、本発明は、基地局と移動機との間で通信を行う移動通信システムにおける当該移動機に対する情報配信方法において、移動機と通信を行うべき一または複数の基地局を決定し、移動機に配信すべき情報を上記決定された一または複数の基地局に分配し、各基地局は、それぞれ、分配された情報を移動機に対して送信するように構成される。
【００２５】
このような移動通信システムにおける情報配信方法では、移動機に配信されるべき情報が複数の基地局に分配され、各基地局から移動機に対してその分配された情報が送信される。このように移動機に配信すべき情報を複数の基地局に分配し、該複数の基地局のそれぞれから分配された情報が移動機に対して送信されるので、その配信すべき情報が分配される基地局の状態、情報が分配される各基地局と移動機との間の無線伝送路の状態、情報の分配量等、その配信すべき情報の分配のし方により、情報の配信の態様を適応的に変えることが可能となる。
【００２６】
上記移動機と通信を行うべき基地局の数は、基地局の配置構成や、想定される通信トラヒックなどに基づいて予め固定的に決めておくことも、要望される通信品質、要望される情報の伝送速度、各基地局と移動機との間の無線伝送路の状態などに基づいて、適宜変更することもできる。
（１２）移動機との間の無線伝送路の状態がより良い基地局から情報の送信が可能となるという観点から、本発明は、上記移動通信システムにおける情報配信方法において、移動機との間の無線伝送路の状態に基づいて当該移動機と通信を行うべき一または複数の基地局を決定するように構成することができる。
【００２７】
上記無線伝送路の状態は、移動機と基地局との間における電波（情報）の伝送状態を直接的または間接的に表すものであって、例えば、当該無線伝送路における瞬時パスロス変動値、データ伝送誤り率、伝送スループット、移動機と基地局との間の距離、移動機と基地局の相対的位置関係、無線伝送路が受ける他の送信局からの干渉電力値、同じアンテナから送信しようとする相手移動機の数、希望時刻、送信データ量及び、それらの短区間平均、長区間平均のいずれかまたはそれら複数の組み合わせにて表すことができる。
（１３）情報を配信する場合、その情報の配信に対して種々の性能が要求される。このような情報配信に対する要望に対して適正に対応できるという観点から、本発明は、上記各移動通信システムにおける情報配信方法において、移動機に配信すべき情報の送信に対して要求される性能に基づいて当該移動機と通信を行うべき一または複数の基地局を決定するように構成することができる。
【００２８】
上記移動機に配信すべき情報の送信に対して要求される性能は、各基地局から移動機に対して情報を送信する際に要求される性能を直接的または間接的にあらわすものであって、例えば、要求される伝送速度、要求される伝送優先度、要求される誤り率、要求される最大遅延量、要求される平均遅延量などのいずれかまたはそれらの複数の組み合わせによって表すことができる。
（１４）各基地局に溜まっている情報に量に応じて配信すべき情報を適正に分配できるという観点から本発明は、上記各移動通信システムにおける情報配信方法において、各基地局における配信すべき情報の送信待ち状態に基づいて当該移動機と通信を行うべき一または複数の基地局を決定するように構成することができる。
【００２９】
上記各基地局における配信すべき情報の送信待ち状態は、各基地局に提供された情報が移動機に送信されるまでの待ち状態を直接的または間接的に表すものであって、例えば、送信待ち状態となる情報の量、待ち状態となる情報の最大遅延時間、待ち状態となる情報の平均遅延時間のいずれかまたはそれら複数の組み合わせによって表すことができる。
（１５）定量の情報を移動機に配信する際に、各基地局から送信される情報の量を低減させることができるという観点から、本発明は、上記各移動通信システムにおける情報配信方法において、決定された複数の基地局に、移動機に配信すべき情報を重複なく分配するように構成することができる。
【００３０】
このような移動通信システムにおける情報配信方法では、移動機に配信されるべき情報が重複なく複数の基地局に分配されるので、移動機に情報を配信する際に、各基地局から送信されるべき情報の量は、その配信すべき情報を単一の基地局から送信する場合の当該情報の量より低減される。その結果、当該情報を移動機に配信する際における各基地局の情報の送信時間が短縮され、各基地局から移動機に対する情報送信は、ランダムに発生しうる無線伝送路の状態変動を受けにくくなる。
（１６）移動機に対してより確実に情報の配信が行えるという観点から、本発明は、上記各移動通信システムにおける情報配信方法において、移動機に配信すべき情報の一部または全部を複製し、決定された複数の基地局に当該配信すべき情報の一部または全部を重複して分配するように構成することができる。
【００３１】
このような移動通信システムにおける情報配信方法では、当該配信されるべき情報の一部または全部が重複して各基地局から移動機に対して送信されるので、いずれかの基地局から移動機に送信された情報の品質が低下しても、その品質が低下した情報は、他の基地局から重複して送信される対応する情報にて補うことができる。その結果、移動機に対してより確実に情報の配信が行えるようになる。
（１７）各基地局の通信トラフィックを均一化できいるという観点から、本発明は、上記各移動通信システムにおける情報配信方法において、決定された複数の基地局に対して、送信待ち状態となる情報の量が少ない基地局ほどより多くの情報を分配するように構成することができる。
（１８）より多くの情報をより良好な無線伝送路を介して移動機に送信できるという観点から、本発明は、上記各移動通信システムにおける情報配信方法において、決定された複数の基地局に対して、移動機との間の無線伝送路の状態がより良好な基地局ほどより多くの情報を分配するように構成することができる。
【００３２】
上記無線伝送路の状態がより良好であることは、移動機と基地局との間における電波（情報）の伝送状態がより良好であることであって、例えば、当該無線伝送路における瞬時パスロス変動値又はその短区間平均値がより小さい、データ伝送誤り率がより小さい、伝送スループットがより大きい、移動機と基地局との間の距離がより小さい、無線伝送路が受ける他の送信局からの干渉電力値がより小さい、同じアンテナから送信しようとする相手移動機の数がより少ないなどの各状態で表すことができる。
（１９）情報の通信品質及び情報の配信時間を考慮してより適切な状態で、情報を移動機に配信できるという観点から、本発明は、上記各移動通信システムにおける情報配信方法において、決定された複数の基地局に対する情報の分配量を、各基地局にて送信待ち状態となる情報の量及び移動機との間の無線伝送路の状態に基づいて決めるように構成することができる。
【００３３】
上記各基地局にて送信待ち状態となる情報の量によって情報の配信時間が推定できると共に、各基地局と移動機との間の無線伝送路の状態に基づいて情報の通信品質を推定できる。従って、各基地局にて送信待ち状態となる情報の量及び無線伝送路の状態に基づいて配信すべき情報の各基地局への分配量を決めることにより、情報の通信品質及び情報の配信時間を複合的に考慮してより適切な状態での情報配信が可能となる。
（２０）例えば、決定された複数の基地局に対して、移動機との間の無線伝送路の状態がより良好となる基地局ほど送信待ち状態となる情報の量が多くなるように情報を分配するように構成することができる。このような移動通信システムにおける情報配信方法では、より通信品質が良い状態での情報配信が可能となる。
（２１）より早く情報を移動機に配信できるようにするという観点から、本発明は、上記各移動通信システムにおける情報配信方法において、送信される見込みがないとみなせる送信待ちとなる情報を各基地局から回収し、この回収した情報を配信すべき情報として一または複数の基地局に再分配するように構成することができる。
【００３４】
各基地局において送信される見込みがないとみなせる送信待ちとなる情報を他の基地局に再分配することにより、より早く当該情報を移動機に配信できるようになる。
【００３５】
各基地局において送信待ちとなる情報が送信される見込みがないか否かの判定は、時間的なタイムアウトにより、また、他の基地局が空いた状況であるかどうかなどにより行うことができる。
（２２）また、多くの情報を滞りなく移動機に配信できるという観点から、本発明は、上記移動通信システムにおける情報配信方法において、上記情報を回収した際、その回収された情報が移動機に送信されずに滞留していた時間が所定時間以上となる場合に、その回収された情報を破棄するように構成することができる。
【００３６】
このような移動通信システムにおける情報配信方法では、各基地局内に長い時間滞留している情報は破棄されるので、順次提供される情報を滞りなく移動機に配信できるようになる。
（２３）更に前記課題を解決するため、本発明は、基地局と移動機とを有する移動通信システムにおける当該移動機に対する情報配信制御を行う情報配信制御装置において、移動機と通信を行うべき複数の基地局を決定する基地局決定手段と、該基地局決定手段にて決定された基地局に対して移動機に配信すべき情報を分配する情報分配手段とを有し、各基地局のそれぞれが、該情報分配手段にて分配された情報を移動機に対して送信できるように構成される。
（２４）また、前記課題は、無線伝送路の状態に応じて定められた送信電力値及び／又は送信レートにて送信局から送信されたバースト信号を送信する移動通信システムにおける受信装置において、受信信号から受信品質を測定する受信品質測定手段と、測定した受信品質に応じて受信側基準電力を決定する受信側基準電力決定手段と、無線伝送路の状態を検出する信号強度検出器と、前記受信側基準電力と無線伝送路の状態との比較結果に基づいて送信局がバースト信号を送信すべきか否かを判定する受信側送信可否判定手段と、この判定結果を送信局に送信する手段とを有する移動通信システムにおける送信装置で解決できる。無線伝送路は送信装置のみならず、受信装置でも測定可能である。受信装置で測定した受信品質を元に受信側基準電力を決定し、無線伝送路の状態との比較結果により送信側でバースト信号を送信すべきか否かを判断して送信側に送出することで、送信側で無線伝送路の状態を考慮したバースト信号の送信が可能となる。なお、送信側でもバースト信号を送信すべきか否かを判断して、更に上記受信側で判断した結果を加味することでより精度の高いバースト信号の送信制御が可能となる。
【発明を実施するための最良の形態】
【００３７】
以下、本発明の実施の形態を図面に基づいて説明する。
【００３８】
本発明の実施の形態に係るバースト信号の送信方法及び装置が適用される移動通信システムは、例えば、図１に示すように構成される。
【００３９】
図１において、携帯電話機やＰＨＳ端末等の移動局１０に対してコンピュータ等の情報処理装置（ＰＣ）２０が接続されている。また、移動局１０は、移動通信のサービスエリアに設置された基地局３０と無線通信を行う。同様に、情報処理装置（ＰＣ）５０が接続された他の移動局４０は、他の基地局６０と無線通信を行う。各基地局３０、６０は、所定のネットワーク８０を介して接続されている。
【００４０】
このような移動通信システムでは、例えば、情報処理装置２０から他の情報処理装置５０に送信すべきデータが移動局１０に提供されると、移動局１０は、そのデータを例えば、パケットの形式に変換し、そのパケットの形式のデータをバースト信号として基地局３０に無線送信する。このバースト信号を受信した基地局３０は、各パケットに含まれる送信先識別子に基づいて基地局６０宛てに当該各パケットをネットワーク８０に送出する。そして、この各パケットを受信した基地局６０は、この受信した各パケットにて形成されるデータをバースト信号として移動局４０に無線送信する。このバースト信号を受信した移動局４０は、そのバースト信号に含まれる各パケットを情報処理装置５０に送信する。情報処理装置２０、５０の代わりに、他の情報発生、入力点、例えば、人間の口と耳を用いたシステムにも本発明は適用できる。
【００４１】
上記のような移動通信システムにおける移動局１０と基地局３０との間、及び基地局６０と移動局４０との間のバースト信号の送受信系を、本発明の第１の実施の形態として詳細に説明する。この送受信系の第一の例は、例えば、図２に示すように構成される。
【００４２】
図２において、送信局側（上記例における移動局１０または基地局６０）に設けられた送信装置１００と受信局（上記例における基地局３０または移動局４０）に設けられた受信装置２００との間でバースト信号の送受信がなされる。
【００４３】
送信装置１００は、提供されるバースト信号（例えば、パケット形式のデータ) を順次蓄積する待ち行列ユニット１０１、待ち行列ユニット１０１から送信すべきデータを取り出すデータ取出し器１０２、データ取出し器１０２にて取り出されたデータに対して符号化、変調、増幅の各処理を施す符号化・変調・増幅器１０３を有している。また、この送信装置１００は、アンテナ１１０を介して受信される通信相手からの信号に基づいて、送信装置１００と受信装置２００との間の無線伝送路の状態を測定する伝送路状態測定器１０４と、この伝送路測定装置１０４にて測定された無線伝送路の状態に基づいて送信すべきバースト信号の送信電力値を推定する所要送信電力推定器１０５とを有している。
【００４４】
上記伝送路状態測定器１０４は、例えば、瞬時パスロス変動値、データ伝送誤り率、伝送スループット、送受信装置間距離、送受信装置の相対的位置関係、他の無線局からの干渉電力値、アンテナ１１０から信号を送信しようとする他の無線局の数、送信希望時刻、送信すべきデータ量及びそれらの短区間平均及び長区間平均のいずれかまたはそれら複数の組み合わせを、送信装置１００と受信装置２００との間の無線伝送路の状態を表す情報として出力する。伝送路状態測定器１０４から例えば、瞬時パスロス変動値が当該無線伝送路の状態を表す情報として出力されると、所要送信電力推定器１０５は、例えば、この瞬時パスロス変動値の逆数に受信装置２００での希望受信電力値を乗ずることにより、受信装置２００での受信電力が当該希望受信電力値（一定値）となるような送信電力値を算出する。また、瞬時パスロス変動値及び干渉電力値短区間平均値が当該無線伝送路の状態を表す情報として出力されると、所要送信電力推定器１０５は、例えば、瞬時パスロス変動値の逆数に、干渉電力値短区間平均値と希望受信電力値対干渉電力値比とを乗ずることにより、受信電力値対干渉電力値比が一定となるような送信電力値を算出する。
【００４５】
上記のように所要送信電力推定器１０５は、伝送路状態測定器１０４にて得られる情報にて表される無線伝送路の状態がより悪ければ、より大きい送信電力値を出力し、その無線伝送路の状態がより良ければ、より小さい送信電力値を出力する。
【００４６】
送信装置１００は、更に、送信可否基準決定器１０６ａ及び送信可否決定器１０７を有している。送信可否基準決定器１０６ａは、伝送路状態測定器１０４からの無線伝送路の状態を表す情報に基づいて送信可否基準となる基準送信電力値を演算する。例えば、伝送路状態測定装置１０４からの当該無線伝送路の平均的な状態を表す情報（例えば、送受信装置間の距離に依存した情報や、上記各情報の短区間平均で表される情報（例えば、瞬時パスロス変動値の短区間平均値に一定値を乗じたもの））に基づいて基準送信電力値が演算される。送信可否決定器１０７は、送信可否基準決定器１０６ａにて決定された基準送信電力値と上記所要送信電力推定器１０５にて演算された送信電力値とを比較し、その比較結果に基づいてバースト信号の送信可否の制御信号を出力する。例えば、フェージングが大きく落ち込む等の原因で所要送信電力推定器１０５にて演算される送信電力値が基準送信電力値より大きくなる場合には、送信許可決定器１０７は、バースト信号の送信不可の制御信号をデータ取出し器１０２に供給する。また、一方、無線伝送路の状態が比較的良く、所要送信電力推定器１０５にて演算される送信電力値が上記基準送信電力値以下となる場合、送信許可決定器１０７は、バースト信号の送信許可の制御信号をデータ取出し器１０２に供給する。
【００４７】
データ取出し器１０２は、送信可否決定器１０７からの制御信号に基づいてバースト信号を送信するか否かを制御する。即ち、送信許可決定器１０７からバースト信号の送信許可の制御信号を受信している間、データ取出し器１０２は、待ち行列ユニット１０１からデータを取り出し、そのデータを符号化・変調・増幅器１０３に送る。符号化・変調・増幅器１０３は、そのデータに対して符号化、変調の各処理を施すと共に、所要送信電力推定器１０５にて演算された送信電力値となるように増幅処理を行う。そして、この各処理済みのデータがアンテナ１１０から受信装置２００に対して送信される。一方、送信許可決定器１０７からバースト信号の送信不可の制御信号を受信している間、データ取出し器１０２は、待ち行列ユニット１０１からのデータ取り出しを中断する。その結果、送信装置１００からバースト信号の送信はなされない。
【００４８】
上記のような例では、送信装置１００と受信装置２００との間の無線伝送路の状態が、フェージングなどの影響で悪くなると、送信装置１００から受信装置２００へのバースト信号の送信がその無線伝送路の状態が改善されるまで遅延される。その結果、ピーク送信電力を低減させることができ、送信装置１００での消費電力を抑制すると共に、他の無線局に対する干渉も低減させることができる。
【００４９】
図１に示す移動通信システムにおける送受信系の第二の例は、例えば、図３に示すように構成される。
【００５０】
図３において、この送受信系（送信装置１００及び受信装置２００にて構成される）における送信装置１００は、上述した第一の例と同様に、待ち行列ユニット１０１、データ取出し器１０２、符号化・変調・増幅器１０３、伝送路状態測定器１０４、所要送信電力推定器１０５及び送信可否決定器１０７を有している。
【００５１】
この第二の例においては、送信可否基準決定器１０６ｂは、伝送路状態測定器１０４からの無線伝送路の状態を表す情報及び、待ち行列ユニット１０１に蓄積された待ち状態となるバースト信号の状態に基づいて、バースト信号送信可否の基準となる基準送信電力値を演算する。
【００５２】
送信可否基準決定器１０６ｂは、例えば、上述したように伝送路状態測定器１０４からの無線伝送路の状態を表す情報に基づいて基準送信電力値を演算し、更に、待ち行列ユニット１０１に蓄積されるバースト信号の送信待ち状態を表す情報、例えば、待ち行列ユニット１０１内の蓄積パケット数、その平均遅延量及び最大遅延量のいずれかまたはそれら複数の組み合わせに基づいて、上記基準送信電力値を修正する。例えば、バースト信号の平均遅延量、最大遅延量、あるいは蓄積パケット数がより多くなると、上記のように演算された基準送信電力値をより大きくする。その結果、送信電力値を多少大きくしなければならない無線伝送路の状態であっても、バースト信号が送信されるようになるので、送信すべきバースト信号が長い時間待ち行列ユニット１０１内に滞留することが防止される。
【００５３】
図１に示す移動通信システムにおける送受信系の第三の例は、例えば、図４に示すように構成される。
【００５４】
図４において、この送受信系（送信装置１００及び受信装置２００にて構成される）における送信装置１００は、上述した第一及び第二の例と同様に、待ち行列ユニット１０１、データ取出し器１０２、符号化・変調・増幅器１０３、伝送路状態測定器１０４、所要送信電力推定器１０５及び送信可否決定器１０７を有している。
【００５５】
この第三の例においては、送信可否基準決定器１０６ｃは、伝送路状態測定器１０４からの無線伝送路の状態を表す情報及び待ち行列ユニット１０１に蓄積された待ち状態となるバースト信号の状態と、更に、送信すべきバースト信号の供給元となる上位装置から提供されるメディア情報に基づいて、バースト信号送信可否の基準となる基準送信電力値を演算する。メディア情報は、情報の送信に要求される性能、例えば、所要データ伝送速度、平均送信電力値、伝送優先度、所要誤り率、所要最大遅延量、所要平均遅延量などである。
【００５６】
例えば、バースト信号として送信すべき情報としてマルチメディア情報（画像、音声、文字などを含む）が送信装置１００に提供される。そして、その情報の送信に要求される性能、例えば、所要データ伝送速度、平均送信電力値、伝送優先度、所要誤り率、所要最大遅延量、所要平均遅延量等の情報が当該マルチメディア情報と共にメディア情報として送信装置１００に提供される。送信可否基準決器１０６ｃは、例えば、上述したように無線伝送路の状態に基づいて演算された基準送信電力値を、上記待ち行列ユニット１０１に蓄積されるバースト信号の送信待ち状態を表す情報及びメディア情報に基づいて修正する。例えば、所要データ伝送速度が大きい場合、所要優先度が高い場合、所要誤り率が低い場合、所要最大遅延量や所要平均遅延量が小さい場合などでは、基準送信電力値が比較的大きくなるように決定される。その結果、そのような要求のあるマルチメディア情報は、送信電力値を多少大きくしなければならない無線伝送路の状態であっても、送信できるようになり、その要求に即したバースト信号の送信が可能となる。
【００５７】
図１に示す移動通信システムにおける送受信系の第四の例は、例えば、図５に示すように構成される。
【００５８】
図５において、この送受信系（送信装置１００及び受信装置２００にて構成される）における送信装置１００は、上述した第一乃至第三の例と同様に、待ち行列ユニット１０１、データ取出し器１０２、符号化・変調・増幅器１０３、伝送路状態測定機１０４、所要送信電力推定器１０５及び送信可否決定器１０７を有している。
【００５９】
この第四の例においては、送信可否基準決定器１０６ｄは、上述した第三の例と同様に、伝送路状態測定器１０４からの無線伝送路の状態を表す情報及び待ち行列ユニット１０１に蓄積された待ち状態となるバースト信号の状態と、更に、送信すべきバースト信号の供給元となる上位装置から提供されるメディア情報に基づいて、バースト信号送信可否の基準となる基準送信電力値を演算する。そして、更に、上記メディア情報が所要送信電力推定器１０５に提供される。
【００６０】
所要送信電力推定器１０５は、伝送路状態測定器１０４からの無線伝送路の状態を表す情報に基づいて、受信装置２００にて所定の品質にて信号受信がなされるように、送信電力値を演算し、更に、その演算された送信電力値を送信すべき情報に対するメディア情報に基づいて修正する。
【００６１】
例えば、所要データ伝送速度が大きい場合、所要優先度が高い場合、所要誤り率が低い場合、所要最大遅延量や所要平均遅延量が小さい場合などでは、送信電力値が比較的大きくなるように修正される。この場合、送信可否決定基準器１０６ｄでは、所要送信電力推定器１０５にて演算される送信電力値がメディア情報に依存することを考慮して、当該メディア情報に基づいて基準送信電力値の修正が行われる。即ち、上記のようにしてメディア情報に依存して決定される送信電力値と当該メディア情報に基づいて演算される基準送信電力値の比較結果に基づいて上記送信可否決定器１０７にてなされるバースト信号の送信可否の判定が、実際のバースト信号の送信を損ねないように、当該基準送信電力値が当該メディア情報に基づいて決定される。
【００６２】
上記のような第四の例によれば、送信すべき情報の送信に対する要求に応じて送信電力値が決められるので、送信装置１００の電力資源が、送信すべき情報の当該送信に係る要求に応じて適切に分配されるようになる。
【００６３】
図１に示す移動通信システムにおける送受信系の第五の例は、例えば、図６に示すように構成される。
【００６４】
図６において、この送受信系（送信装置１００及び受信装置２００にて構成される）における送信装置１００は、上述した第一乃至第四の例と同様に、待ち行列ユニット１０１、データ取出し器１０２、符号化・変調・増幅器１０３、伝送路状態測定器１０４、所要送信電力推定器１０５及び送信可否決定器１０７を有している。また、送信可否基準決定器１０６ｅ及び所要送信電力推定器１０５は、上述した第四の例と同様に、それぞれ、上記マルチメディア情報に基づいて基準送信電力値及び送信電力値を演算する。
【００６５】
更に、この第五の例においては、送信許可基準決定器１０６ｅは、提供されるメディア情報、待ち行列ユニット１０１からのバースト信号の送信待ち状態を表す情報及び伝送路状態測定器１０４からの無線伝送路の状態を表す情報のいずれかまたはそれらの複数の組み合わせを、送信すべき情報の提供元となる上位の装置に報告する。例えば、この送信装置１００が図１に示す移動局１０に搭載される場合、この送信可否基準決定器１０６ｅから、情報処理装置２０に対して、例えば、現在の伝送誤り率や待ち行列の長さが報告される。このような情報を受信した情報処理装置２０は、送信すべき情報の送信に関する伝送優先度を上げたり、他の情報の送信に関する伝送優先度を下げたり、あるいは、通信品質を落とすことにより所要データ伝送速度を下げたりする制御を行うことができる。その結果、種々の性能を要望される情報を、その要望を満足しつつ、かつ遅滞なく、更に、できるだけピーク電力を抑制した状態で、送信装置１００から受信装置２００に送信できるようになる。
【００６６】
上記各例において、送信可否決定器１０７は、単一の基準値（基準送信電力値）にて送信可否の判定を行っていたが、その判定手法は、それに限られない。例えば、送信可能とする基準値と、送信不可にする基準値とを別々に備えるものであっても、状態遷移図によって送信可否の判定を行うものであっても、更に、ニューロネットワークによって送信可否の判定を行うものであってもよい。このような送信可否判定器１０７での判定手法に応じた判定基準が、送信可否基準決定器１０６ａ（１０６ｂ〜１０６ｅ）から送信可否決定器１０７に提供される。
【００６７】
また、上記各例においては、送信可否判定器１０７は、無線伝送路の状態を表す情報として、その無線伝送路の状態に基づいて演算された所要送信電力推定器１０５にて演算される送信電力値を用いているが、これに限られず、伝送路状態測定器１０４にて得られる無線伝送路の状態を表す情報のいずれでも、また、それらの情報に基づいて得られる任意の情報を用いることもできる。この場合も、送信電力可否基準決定器１０６ａ（１０６ｂ〜１０６ｅ）は、無線伝送路の状態を表す情報として提供される情報と比較可能な情報にて表された当該基準を決定する。
【００６８】
次に、図７を参照して、本発明の第２の実施の形態に係るバースト信号の送信方法及び装置が適用される移動通信システムを説明する。
【００６９】
前述した第１の実施の形態では、送信電力に基づきバースト信号の送信可否を決定していた。これに対し、第２の実施の形態では、送信電力に加え、適応変調の送信レートを参照することでバースト信号の送信可否を決定することを特徴とする。適応変調とは、基地局から移動局へ送信する送信電力は一定で送信レート（伝送スピード）を変更することを言う。これにより、伝送路の状態が悪くなった時、適応変調では送信レートを下げることにより所要送信電力の増加を防ぐことができる。  図７に示す送受信系（送信装置１００及び受信装置２００にて構成される）における送信装置１００は、待ち行列ユニット１０１、データ取出し器１０２、符号化・変調・増幅器１０３、伝送路状態測定器１０４、送信電力・送信レート決定器１０５ａ、及び送信可否決定器１０７ａを有している。
【００７０】
図８は、バースト信号の送信可否を決定する送信可否決定器のアルゴリズムの一例を示す図である。送信可否決定器１０７ａは、伝送路状態測定器１０４が測定した無線伝送路の状態及びメディア情報に応じて基準送信電力値を決定するとともに、上記無線伝送路の状態に応じて基準送信レート値を決定する（ステップＳ１１）。つまり、送信可否決定器１０７ａは、その内部に基準送信電力値と基準送信レート値を決定する送信可否基準決定器を具備するものである。上記送信可否の決定処理は、前述したように、伝送路状態測定器１０４からの無線伝送路の状態を表す情報及び待ち行列ユニット１０１に蓄積された待ち状態となるバースト信号の状態と、更に、送信すべきバースト信号の供給元となる上位装置から提供されるメディア情報に基づいて、バースト信号送信可否の基準となる基準送信電力値を演算する。メディア情報は、情報の送信に要求される性能、例えば、所要データ伝送速度、平均送信電力値、伝送優先度、所要誤り率、所要最大遅延量、所要平均遅延量などである。
【００７１】
次に、送信可否決定器１０７ａは、送信電力・送信レート決定器１０５ａで決定された無線伝送路の状態及びメディア情報に応じた送信電力値及び送信レートを入力する（ステップＳ１２）。そして、送信可否決定器１０７ａは、送信電力値が基準送信電力値よりも低く、かつ送信レートが基準送信レート値よりも高いかどうかを判断する（ステップＳ１３）。送信電力値が基準送信電力値よりも低く、かつ送信レートが基準送信レート値よりも高い場合には、送信可否決定器１０７ａは、データ取出し器１０２にバースト信号の送信可の制御信号を出力し（ステップＳ１４）、処理を終了する。それ以外の場合には、送信可否決定器１０７ａは、データ取出し器１０２にバースト信号送信不可の制御信号し（ステップＳ１５）、処理を終了する。
【００７２】
このように、本発明の第２の実施の形態によれば、送信電力と送信レートの両方を用いてバースト信号の送信可否を決定するので、若干の伝送路の状態の悪化には送信レートの変更で対応し、より悪化した場合には送信を延期することにより、より大きな所要送信電力低減の効果を得ることができる。
【００７３】
なお、送信レートのみを用いてバースト信号の送信可否を決定することとしても良い。この場合には、図７のブロック１０５ａと１０７ａは送信レートのみを処理し、図８のステップＳ１１、Ｓ１２及びＳ１３では送信レートのみを処理する。
【００７４】
上記第１及び第２の実施の形態は、単一のバースト信号の送信に関するものであった。つまり、送信装置１００から１つの受信装置２００にバースト信号を送信するものである。これに対し、以下に説明する本発明の第３の実施の形態は、複数のバースト信号の送信可否を一元的に行うものである。つまり、第３の実施の形態は、複数のバースト信号はそれぞれ宛先（送信先受信装置）を示す情報を有し、対応する複数の受信装置に送信するシステムにおいて、上記複数のバースト信号の送信可否を一元的に管理する。
【００７５】
図９は、上記本発明の第３の実施の形態を示すブロック図である。図９に示す送受信系（送信装置１００及び受信装置２００１〜２００Ｍにて構成される）における送信装置１００は、待ち行列ユニット１０１、データ取出し器１０２、符号化・変調・増幅器１０３、伝送路状態測定器１０４、送信電力・送信レート決定器１０５ａ、及び送信可否決定器１０７ａを有している。このブロック構成自体は、図７に示す送信装置１００のブロック構成と同じである。但し、図９の送信装置１００は以下に説明する点で、図７に示す送信装置１００とは異なる。
【００７６】
待ち行列ユニット１０１は、上位装置から供給されるＮ個のバースト信号を蓄積できる。つまり、待ち行列ユニット１０１は、Ｎ個の待ち行列を持つ。送信装置１００は、Ｍ個の受信装置２００１〜２００Ｍに対し、対応するバースト信号を送信できる。つまり、各バースト信号はそれぞれ、宛先の番号を示す情報を有する。各受信装置２００１〜２００Ｍは、それぞれのアンテナ２１０１〜２１０Ｍを介して自局宛の送信バーストを取り込む。
【００７７】
セルラ移動通信においては、他セルへの干渉電力軽減のために、一つの基地局からの送信電力の総和に上限を設ける場合がある。これを実現するため、送信可否決定器１０７ａは、各バースト信号の送信電力を参考に、送信許可バーストの組を、その送信側アンテナ１１０からの送信電力の総和が予め定めたしきい値を超えないように定める。
【００７８】
この定め方の一例を以下に説明する。
【００７９】
バースト信号を、所定の順番に見ていき、そのメディアを加えても送信電力の総和がしきい値を超えない場合にはそのバースト信号に送信許可を与え、超えたらバースト信号は送信不許可とする。これをすべてのメディアについて行う。所定の順番は待ち行列、メディア情報、伝送路状態測定器１０４、及び送信電力・送信レート決定器１０５ａからのいずれか又は複数の組み合わせに基づき決める。所定の順番の例を以下に示す。
【００８０】
1)送信電力の小さなメディアから順番に見ていく。
【００８１】
2)送信電力の大きなメディアから順番に見ていく。
【００８２】
3)待ち行列長の大きなメディアから順番に見ていく。
【００８３】
4)メディア情報に基づき、遅延要求の小さなメディアから順番に見ていく。
【００８４】
5)送信電力の値に瞬時パスロスの短区間平均値を乗じたものが小さなメディアから順番に見ていく。
【００８５】
6)送信レートの大きなメディアから順番に見ていく。
【００８６】
7)受信側送信可否判定（後述する）で、より良好な判定を受けたバースト信号から見ていく。
【００８７】
上記2)の順番による例を示す。今、バースト信号の数ＮをＮ＝４、それぞれ（バースト信号１、２、３、４とする）の送信電力を０．５、５、３、６、送信電力の総和のしきい値を１０とする。送信電力の大きな順に見ていくと、次の通りである。はじめに、送信電力が最も大きいバースト信号４（送信電力６）を選択する。送信電力の総和は６なので、しきい値１０を下回る。よって、バースト信号４の送信は許可される。次に、送信電力が２番目に大きいバースト信号２の送信電力５を送信電力６に加える。この場合の送信電力の総和は１１で、しきい値を超える。よって、バースト信号２の送信は許可されない。次に、送信電力が３番目に大きいバースト信号３の送信電力を送信電力６に加える。この場合の送信電力の総和は９で、しきい値を下回る。よって、バースト信号４に加え、新たにバースト信号３の送信が許可される。次に、送信電力が４番目に大きいバースト信号１の送信電力０．５を、送信電力９（バースト信号４と３の送信電力の総和）に加える。この場合の送信電力の総和は９．５で、しきい値を下回る。よって、バースト信号４と３に加え、新たにバースト信号１の送信が許可される。
【００８８】
以上の通り、バースト信号の送信可否は、このバースト信号の宛先となる受信装置のみならず、他の受信装置へのバースト信号の送信、つまり他の無線伝送路の状態（送信電力や伝送レートとして表わされる）をも考慮して決定される。なお、送信電力の総和は、瞬時の送信電力値の総和であってもよいし、ある一定時間内での総和の平均値であってもよい。
【００８９】
図１０は、図９に示す送信可否決定器１０７ａにおける複数のバースト信号の送信可否を一元的に決定するアルゴリズムの一例を示す図である。送信可否決定器１０７ａは、伝送路状態測定器１０４が測定した各無線伝送路の状態（送信装置１００と受信装置２００１〜２００Ｍをそれぞれ繋ぐ無線伝送路）及びメディア情報に応じて基準総送信電力値を決定するとともに、上記各無線伝送路の状態に応じて基準送信レート値を決定する（ステップＳ２１）。基準送信レートは、各無線伝送路毎（バースト信号毎）に決められる。また、基準総電力値は、伝送路状態測定器１０４からの各無線伝送路の状態を表す情報及び待ち行列ユニット１０１に蓄積された待ち状態となるバースト信号の状態と、更に、送信すべきバースト信号の供給元となる上位装置から提供されるメディア情報に基づいて決められるもので、バースト信号送信可否の基準となる。メディア情報は、情報の送信に要求される性能、例えば、所要データ伝送速度、平均送信電力値、伝送優先度、所要誤り率、所要最大遅延量、所要平均遅延量などである。
【００９０】
次に、送信可否決定器１０７ａは、送信電力・送信レート決定器１０５ａで決定された各無線伝送路の状態及びメディア情報に応じたＮ個のバースト信号それぞれの送信電力値（最大の送信電力値）及び送信レート（最低の送信レート）を入力する（ステップＳ２２）。そして、送信可否決定器１０７ａは、Ｎ個のバースト信号を予め決めた順番に並び替える（ステップＳ２３）。次に、送信可否決定器１０７ａは、送信電力の総和を示すパラメータＳに初期値０を設定する（ステップＳ２４）。そして、送信可否決定器１０７ａは並び替えたバースト信号の先頭にあるバースト信号を選択して、ステップＳ２６〜２８からなる可否決定ループの実行を開始する（ステップＳ２５）。
【００９１】
送信可否決定器１０７ａは、選択したバースト信号の送信レート値が基準送信レート値よりも大きく、かつパラメータＳ（最初は０に設定されている）に選択したバースト信号の送信電力を加えた送信電力値が基準総電力値を下回るかどうかを判断する（ステップＳ２６）。この判断結果がＹＥＳの場合には、選択したバースト信号の送信電力値をＳに加え、パラメータＳの値を更新する（ステップＳ２７）。そして、送信可否決定器１０７ａは、データ取出し器１０２にバースト信号送信許可の制御信号を出力し（ステップＳ２８）、選択したバースト信号に対する可否決定ループの実行を終了する（ステップＳ２９）。これに対しステップＳ２６の判断結果がＮＯの場合には、送信可否決定気１０７ａは、データ取出し器１０２にバースト信号送信不可の制御信号を出力する（ステップＳ３０）。そして、次のバースト信号を選択し、ステップＳ２６〜Ｓ２８からなる可否決定ループを実行する。
【００９２】
ステップＳ２６の判断結果がＮＯの場合には、可否決定ループを終了する（ステップＳ２９）。
【００９３】
このようにして、ステップＳ２６でＹＥＳと判断されたバースト信号がすべて送信可となり、これらの送信電力の和は基準総電力値を超えることはない。よって、セルラ移動通信において他のセルへの干渉電力を軽減することができる。
【００９４】
次に、図１１を参照して、本発明の第１から第３の実施の形態で用いられる待ち行列ユニット１０１を説明する。
【００９５】
図１１に示す待ち行列ユニット１０１は、時刻情報付加器１１１、送信待ちメモリ１１２、時刻差分計算器１１３、現在時刻発生器１１４、最大遅延時間／平均遅延時間計算器１１５及び遅延最大値／平均値／ｎ−％値計算器１１６を有する。入力されたバースト信号は時刻情報付加器１１１にて送信単位（例えば、パケット長）ごとに現在時刻情報が付加された後、送信待ちメモリ１１２に保管される。データ取出し器１０２から取出し要求信号が来ると、送信待ちメモリ１１２は格納しているバースト信号のうちの１送信単位（最も早い時刻に到着したものでも良いし、単一バースト信号内に情報の重要性の差がある場合は、重要な１送信単位を選んでも良い）を選び、送信差分計算器１１３へ送る。送信差分計算器１１３は、入力された送信単位をデータ取出し器１０２に送るとともに、これに付加された時刻情報と現在時刻との差分値を計算する。差分値は、遅延最大値／平均値／ｎ−％値計算器１１６によって遅延最大値／平均値／ｎ−％値が計算され、この情報は送信可否決定器１０７ａに送られる。
【００９６】
送信待ちメモリ１１２は、自身が格納するバースト信号の量を計算し、これを送信待ちバースト信号量情報として送信可否決定器１０７ａに送る機能を持つ。また、送信待ちメモリ１１２は、自身が格納するバースト信号の送信単位に付加された時刻情報の一部又はすべてを最大遅延時間／平均遅延時間計算器１１５に送る機能を持つ。最大遅延時間／平均遅延時間計算器１１５は、この最大値／平均遅延時間を計算し、送信可否決定器１０７ａに送る機能を持つ。
【００９７】
なお、図１１において、待ち行列ユニット１０１を最小部品で構成する際には、（＊）が付された構成要素を省略することができる。
【００９８】
上記本発明の第１から第３の実施の形態において、要求される通信品質と実際の通信品質との比較により前述のようにして決定した送信可否基準が適正かどうかを判断し、周期的に更新するようにすることができる。この判断の手順を図１２のフローチャートに示す。図示するフローチャートは、前述した送信可否決定器１０７、１０７ａが実行するものであり、データの送信の有無に関わらず一定周期で送信可否基準を更新するものである。なお、以下の説明では説明の都合上、本発明の第３の実施の形態の送信可否決定器１０７ａの処理として説明する。
【００９９】
まず、送信可否決定器１０７ａは、前述のようにして基準送信電力値及び基準送信レート値を決定し（ステップＳ７１）、更新時期になったかどうかを判断する（ステップＳ７２）。ステップＳ７２の判断結果がＮＯの場合には、送信可否決定器１０７ａは処理を終了する。これに対し、ステップＳ７２の判断結果がＹＥＳの場合には、最近の伝送路状態を入力する（ステップＳ７３）。具体的には、一定時間、伝送路状態のうちバースト信号送信の品質にかかわるもの（例えば、平均遅延時間、平均伝送速度など）を伝送路状態測定器１０４で測定したものである。そして、送信可否決定器１０７ａは、前回、ステップＳ７１で決定した基準送信電力値及び基準送信レート値が適正であったかどうかを判断する（ステップＳ７４）。ステップＳ７４では、ステップＳ７３で測定した結果を所要の伝送路状態と比較し、それに応じて送信可否基準を予め定めた幅で変更する（ステップＳ７５、Ｓ７６）ことにより、送信可否基準を適応的に変化させ、所要の品質を得ることができる。例えば、メディア情報により要求される平均遅延時間をａとしたバースト信号の場合、一定時間、平均遅延時間を測定し、これが、予め定めた範囲である値域（ａ１、ａ２）（ａ１、ａ２は予め定めた定数で、ａ１＜ａ＜ａ２）に入っているかを判定する。平均遅延時間がこの範囲内ならば基準送信値の変更は行わない。もし、平均遅延時間がａ−ｓ以下であれば、必要以上に送信許可の機会が与えられていると考えられるので、基準を厳しくするために、基準送信電力値を下げる、基準送信レート値を上げるのいずれか一方又は両方を行う。平均遅延時間がａ＋ｓ以上であれば、基準送信電力を上げる、基準送信レート値を下げるのいずれか一方又は両方を行う。基準送信値の変更幅は一定であっても良いし、予め定めた範囲からの逸脱の程度に応じて変化させても良い。
【０１００】
ここで、Ｔｐを基準送信電力値とし、Ｔｒを基準送信レート値とし、Δｐを基準送信電力値の更新幅とし、Δｒを基準送信レート値の更新幅とする。ステップＳ７４で、基準送信電力値が低過ぎる及び／又は基準送信レート値が高過ぎると判断された場合には、Ｔｐ＋ΔｐをＴｐに設定し、Ｔｒ−ΔｒをＴｒに設定する。これに対し、基準送信電力値が高過ぎる及び／又は基準送信レート値が低過ぎると判断された場合には、Ｔｐ−ΔｐをＴｐに設定し、Ｔｒ＋ΔｒをＴｒに設定する。ステップＳ７４で、適当と判断された場合には、基準送信値の変更は行わない。
【０１０１】
上記本発明の第１から第３の実施の形態では、送信側で測定した伝送路状態に基づき送信可否判定を送信側で行っている。しかしながら、送信可否判定は送信側で測定した伝送路状態に基づき行う構成に限定されるものではなく、受信側で観測したものを制御信号として送信側に送信することにより行うこともできる。受信側で観測する場合、その測定値をそのまま実数等の形式で制御信号として送信側へ送信することもできるし、これを受信側で設けた基準を元に判定し、２値又はそれ以上の有限段階の数値として表現した受信側送信可否判定として送信側へ送信することもできる。
【０１０２】
以下、図１３を参照して受信側送信可否判定を送信側へ送信する場合の受信装置の構成例を説明する。
【０１０３】
図１３は、前述した本発明の第１から第３の実施の形態の移動通信システムにおける送受信系における受信装置２００の一構成例を示すブロック図である。同図において、受信装置２００は、チャネル分離・復調・復号化器２２１、受信品質測定器２２２、受信側基準電力決定器２２３、信号強度検出器２２４、制御信号変調・増幅器２２５及びバースト信号出力端子２２６を具備している。
【０１０４】
受信装置２００で伝送路状態を測定するために、送信装置１００から、受信装置２００にて既知である送信電力値によって強度検出用信号が送出される。この強度検出信号は、受信装置２００の信号強度検出器２２４で検出可能で、かつ、送信電力値が既知であるいかなる信号を用いることもできる。例えば、一つの送信装置から複数の受信装置へ共通なチャネル（共通チャネル）を用いる単一のものであっても良いし、各々の受信装置へ個別のチャネルを用いるものであっても良い。共通チャネルを用いることにより、一つの強度検出用信号をすべての受信装置で共用でき、電力利用効率を向上させることができる。また、送信すべきバースト信号の有無にかかわらず常時送信されていても良いし、送信すべきバースト信号があるときのみ送信しても良い。送信すべきデータがあるときのみ送信することにより、送信すべきバースト信号が無い時刻で不要な受信装置の処理や制御信号の送出を防ぐことができる。また、強度検出用信号は連続的に送信されても良いし、非連続的（周期的又は非周期的）に送信されても良い。強度検出用信号を連続的に送信することにより、受信側で任意の時刻にて伝送路状態の推定を行うことができるようになる。また、強度検出用信号は、強度検出のための専用の信号（パイロット信号）であっても良いし、制御信号やバースト信号の送信を兼ねたものであっても良い。
【０１０５】
図１３に示す構成において、受信品質測定器２２２は、チャネル分離・復調・復号化器２２１でのデータチャネル受信信号の処理過程及び処理結果から分る伝送路状態を測定する。測定結果及び過去の基準電力を元に受信側基準電力決定器２２３が受信側基準電力を決定する。例えば、周期的に受信バースト信号の遅延時間のｎ％値（受信バースト信号全数のｎ％がこの値を下回るような値）を測定し、その測定結果が予め定めた目標遅延時間よりも大きければ受信側基準電力をそれ以前より一定値下げ、それ以外であれば受信側基準電力をそれ以前よりも一定値上げるようにできる。
【０１０６】
また、受信装置２００の信号強度検出器２２４は伝送路状態を推定し、受信側送信可否判定器２２５はこれを受信側基準電力と比較する。比較結果は両者の差であっても良いし、これをその値の属する範囲によって対応する有限段階の数値に変換したものであっても良い。制御信号変調・増幅器２２６は、比較結果を制御信号としてアンテナ２１０を介して送信装置へ向けて送信する。比較結果は、受信側送信可否判定器２２５における受信側送信可否判定が生成される都度送信しても良いし、直前に送出した比較結果から変化した場合のみ送出しても良い。例えば、受信側送信可否判定を２値の情報として送信する場合、その判定を周期的に送出することにより、伝送路誤り耐性の高い制御信号の送出が可能である。あるいは、その判定が反転したところのみで情報を送出することにより、制御信号量を削減することができる。
【０１０７】
これを送信装置１００における送信可否決定器１０７、１０７ａでその送信可否判断の基準の一部として利用することにより、受信側で定めた伝送路状態の基準をも加味した送信可否決定を行うことができる。あるいは、２値の数値で表現された受信側送信可否判定を、送信装置における送信可否決定器でそのまま送信可否判断として用いることにより、等価的に、受信側装置で送信可否を決定するような構成とすることができる。
【０１０８】
図１４は、前述した本発明の第２及び第３の実施の形態で用いられる送信装置１００の動作を示すフローチャートである。まず、送信可否決定器１０７ａは、待ち行列ユニット１０１中のバースト信号の有無を判断する（ステップＳ３１）。この判断結果がＹＥＳの場合には、送信電力・送信レート決定器１０５ａは、伝送路状態測定器１０４から伝送路状態に関するデータやメディア情報を取込み（ステップＳ３２）、図８のステップＳ１２や図１０のステップＳ２２で説明したようにして送信電力及び送信レートを決定する。そして、送信可否決定器１０７ａは、図８や図１０に示すアルゴリズムに従い送信可否を決定する（ステップＳ３４）。送信可否決定器１０７ａは、データ取出し器１０２を制御して、送信が許可されたバースト信号を待ち行列ユニット１０１から取出し、符号化・変調・増幅器１０３に与える（ステップＳ３５）。符号化・変調・増幅器１０３は、送信が許可されたバースト信号の符号化、変調及び増幅を行い（ステップＳ３６）、アンテナ１１０を介してバースト信号を送信する（ステップＳ３７）。
【０１０９】
なお、図１４のフローチャートは、本発明の第１の実施の形態で用いられる送信装置１００の送信動作も示している。但し、第１の実施の形態は送信電力のみを用い、送信レートを用いていない。
【０１１０】
上記本発明の第１から第３の実施の形態は、移動通信システムにおける情報配信制御に適用することができる。以下、移動機への情報配信方法及び情報配信制御装置が適用される移動通信システムの一例を、本発明の第４の実施の形態として説明する。
【０１１１】
図１５は、本発明の第４の実施の形態を示すブロック図である。図１５において、携帯電話機やＰＨＳ端末などの移動機（ＭＳ）１０に対してコンピュータなどの情報処理装置（ＰＣ）２０が接続されている。また、移動機１０は、移動通信のサービスエリア内に設置された基地局１００１、１００２、…、１００ｎと無線通信を行うことが可能となる。各基地局１００１、１００２、…、１００ｎは、制御局４０に接続される。制御局４０は、各基地局（ＢＳ）１００１、１００２、…、１００ｎを制御すると共に、移動機１０と通信を行う各基地局とネットワーク５０との間の通信の中継を行う。
【０１１２】
特に、下り方向の通信では、制御局４０は、ネットワーク５０から移動機１０宛てのデータを後述するような方法に従って決定した基地局に対して分配して伝送する。また、この制御局４０は、各基地局１００１、１００２、…、１００ｎを監視しており、各基地局から当分送信さないと判断されたデータを回収して再度他の基地局に分配する機能も有している。
【０１１３】
上記移動通信システムにおいて、制御局４０と各基地局１００１、１００２、…、１００ｎは、例えば、図１６に示すように構成されている。
【０１１４】
まず、図１６及び図１８のフローチャートを参照して、制御局４０の構成及び動作を説明する。
【０１１５】
制御局４０は、時刻付加ユニット４１、データ送信基地局決定器４２、データ分配器４３、未送信データ回収器４４、データ破棄判定器４５を有している。制御局４０の基本制御シーケンスは図１８（Ａ）に示す通りである。制御局４０は分配すべきデータがあるかどうかを判断し（ステップＳ４１）、有と判断した場合には図１８（Ｂ）のようにしてデータを分配し（ステップＳ４２）、ステップＳ４３に進む。ステップＳ４１で分配すべきデータが無いと判断した場合には、直接ステップＳ４３に進む。ステップＳ４３で回収すべきデータが有ると判断した場合には、制御局４０は図１８（Ｃ）のようにして未送信データを回収し（ステップＳ４４）、処理を終了する。ステップＳ４３で回収すべきデータが無いと判断した場合には、制御局４０は処理を終了する。
【０１１６】
次に、制御局４０の各構成要素について詳しく説明する。
【０１１７】
時刻付加ユニット４１は、ネットワーク５０から移動機１０宛てに提供されるデータ（パケット）に受信時刻（タイムスタンプ）を付加する（ステップＳ５１）。データ送信基地局決定器４２は、後述するような手法（ステップＳ５２）に従って、移動機１０に対してデータを送信すべき基地局を決定する（ステップＳ５３）。データ分配器４３は、データ送信基地局決定器４２にて決定された基地局に対して上記のように受信時刻が付加されたデータを分配する（ステップＳ５４）。
【０１１８】
なお、本システムでは、複数の基地局から移動機１０に向けてデータを送信できるので、ネットワーク５０を介して制御局４０に提供されるデータの単位時間当たりの量は、各基地局の送信機が送信し得るデータの単位時間当たりの量を超えていてもよい。また、上記のように分配されるデータの単位データ長（単位パケット数）は、ネットワーク５０から提供されるデータの単位データ長と同じであっても、異なっていてもよい。
【０１１９】
未送信データ回収器４４は、各基地局の待ち行列ユニット１２０に入ったまま一定時間以上送信されていないパケットを送信される見込みのないパケットとして回収する（ステップＳ６１）。あるいは、他の基地局に空きが生じた（待ち行列が空いた）場合にパケットを回収したり、上記時間及び他の基地局の空き状態の双方を考慮してそれらパケットの回収を行うことができる。この未送信データ回収器４４にて回収されたパケットは、データ破棄判定器４５にて破棄すべきか否かが判定される（ステップＳ６２）。この判定は、各パケットに付加された受信時刻と現在時刻に基づいて演算される滞留時間に基づいて行われる。即ち、その滞留時間が所定時間以上である場合、そのパケットは破棄される（ステップＳ６４）。破棄されなかったパケットはデータ分配器４３に戻され、その時点で、データ送信基地局決定器４２にて決定された各基地局に再分配される（ステップＳ６３）。
【０１２０】
各基地局１００１、１００２、…、１００ｎは、前述した第１から第３の実施の形態による送信装置１００で構成される。図１６では、便宜上、前述した構成要素のうち待ち行列ユニット１０１と伝送路状態測定器１５０のみを示し、残りの構成要素は送信機１２１として示してある。つまり、各基地局１００１、１００２、…、１００ｎが図６の構成を有する場合には、各基地局の送信機１２１は図１７に示すように、図６を参照して説明したデータ取出し器１０２、符号化・変調・増幅器１０３、所要送信電力推定器１０５、送信可否基準決定器１０６ｅ、及び送信可否決定器１０７を有している。また、各基地局１００１、１００２、…、１００ｎが図７の構成を有する場合には、各基地局の送信機１２１は図７に示すデータ取出し器１０２、符号化・変調・増幅器１０３、送信電力・送信レート決定器１０５ａ、及び送信可否決定器１０７ａを有している。
【０１２１】
待ち行列ユニット１０１は、制御局４０から送信されるデータをパケット単位に順次蓄積する。送信装置１００は、待ち行列ユニット１２０に蓄積されたデータを送信タイミングにて取り出し、そのデータをアンテナ１１０から移動機１０に対して無線送信する。
【０１２２】
上記伝送路状態測定器１０４は、送信機１２１と移動機１０の受信装置２００との間の無線伝送路の状態を測定する。この無線伝送路の状態を表す情報として、前述したように例えば、送受信器間の瞬時パスロス変動値、データ伝送誤り率、伝送スループット、送受信器間距離、送受信器の相対的位置関係、受信装置２００が他の送信局からの送信電波から受ける干渉電力値、アンテナ１１０からデータを送信すべき他の移動機の数、希望時刻やデータ量及びこれらの短区間平均値、長区間平均値のいずれか、またはそれら複数の組み合わせを用いることができる。
【０１２３】
伝送路状態測定器１０４にて測定された無線伝送路の状態を表す伝送路情報は、送信機１２１に提供されると共に、上記制御局４０のデータ送信基地局決定器４２に伝送される。送信機１２１は、例えば前述した第１の実施の形態による構成を有する場合には、この伝送路情報に基づいて送信電力及び送信タイミングを決定し、その送信タイミングに待ち行列ユニット１０１内のデータを取り出して決定された電力にて送信する。
【０１２４】
上記のようにして各基地局から無線送信されるデータは、移動機１０においてアンテナ２１０を介して受信装置２００にて受信される。この受信されたデータは、更に情報処理装置２０に送信され、この情報処理装置２０にて処理される。
【０１２５】
上記制御局４０は、ネットワーク５０から提供された移動機１０宛てのデータを次のようにして各基地局に分配する。
【０１２６】
データ送信局決定器４２は、データと共にネットワーク５０から提供されるメディア情報、各基地局１００１〜１００ｎから提供される上記伝送路情報、更に、各基地局１００１〜１００ｎから提供される各待ち行列ユニット１０１におけるデータの送信待ちの状態を表す情報（待ち行列情報）に基づいて、提供される移動機１０宛のデータを当該移動機１０に送信すべき基地局を決定する。
【０１２７】
上記伝送路情報は、各基地局と移動機１０との間の無線伝送路の状態が無線通信に適している（パスロスが少ない、誤り率が少ない、干渉が少ない、減衰が小さい等）度合いを表す。このような伝送路情報に基づいて、データ送信決定器４２は、移動機１０との間の無線伝送路の状態がより無線通信に適した状態となっている基地局を選択することができる。
【０１２８】
また、上記待ち行列情報として、例えば、待ち行列ユニット１０１に蓄積されたデータのパケット数、その最大遅延時間、平均遅延時間のいずれか、または、それら複数の組み合わせが用いられる。このような待ち行列情報に基づいて、分配したデータの大まかな送信待ち時間を判定することができる。
【０１２９】
上記のようにデータ送信基地局決定器４２に提供されるメディア情報は、提供されるデータの送信に要求される性能を表す情報であって、例えば、所要データ転送速度、転送優先度、所要誤り率、所要最大遅延量、所要平均遅延量、送信許容基地局情報（各通信について、送信を許される基地局（例えば、３局）のグループ）のいずれか、または、それら複数の組み合わせにて構成される。
【０１３０】
上記データ送信基地局決定器４２は、上記伝送路情報、待ち行列情報及びメディア情報を複合的に考慮し、メディア情報にて表される性能をできるだけ満足した状態で移動機１０へのデータ送信を行える一または複数の基地局を決定する。この基地局を決定するためのアルゴリズムは、任意に定めることができる。例えば、各基地局に対して、伝送路情報、待ち行列情報及びメディア情報を数値化して送信基地局としての適切度合いを演算し、その適切度合いの上位所定数（３つの基地局）の基地局が移動機との通信を行う基地局として決定される。
【０１３１】
このような適切度合いに基づいて基地局が決定される結果、例えば、至急移動機１０に送信すべきデータが提供された場合（所要データ伝送速度が大きい場合) 、待ち行列ユニット１０１内での待ち時間が少ない基地局が送信基地局として優先的に選択され、また、品質を重視して移動機１０に送信すべきデータが提供された場合（所要誤り率が小さい場合）、移動機１０との間の無線伝送路の状態が良い基地局が送信基地局として優先的に選択される。
【０１３２】
上記のようにしてデータ送信基地局決定器４２にて移動機１０に対してデータを送信すべき複数の基地局が決定されると、データ分配器４３は、提供されるデータをその決定された複数の基地局に分配して送信する。
【０１３３】
このデータの分配先となる基地局の決定アルゴリズムは任意に決めることができる。
【０１３４】
例えば、確実にデータを移動機１０に送信することを優先させる場合には、送信すべきデータの一部または全部を複製し、そのデータの一部または全部を重複して複数の基地局に分配することができる。また、できるだけ早くデータを移動機１０に送信することを優先させる場合には、送信すべきデータを分割して、その分割されたデータを重複なく各基地局に分配することができる。
【０１３５】
データ分配器４３にて分配されるデータの各基地局への分配量は、均等に分配してもよいし、また、上記のように決定される基地局について演算された適切度合いの順に固定的な割合をもって分配してもよい。また、更に、上記各基地局から提供される待ち行列情報及び伝送路情報のいずれか、または、それらの組み合わせに基づいて各基地局へのデータの分配量を決めるようにしてもよい。例えば、移動機１０との間の無線伝送路の状態がより良い基地局の待ち行列ユニット１０１内に蓄積されるデータの量がより多くなるようにデータの分配量を決めることができる。
【０１３６】
上記のようにして、分配されたデータを受信した各基地局は、そのデータを宛先となる移動機１０に送信する。このように各基地局から移動機１０に対してデータの送信（配信）がなされている過程で、未送信データ回収器４４は、各基地局の待ち行列ユニット１０１内の待ちデータ（パケット）を検査し、所定時間以上待ち行列ユニット１０１内に滞留するデータを回収する。または、他の基地局で空きができたときにもデータを回収したり、上記時間及び他の基地局の空き状態の双方を考慮してデータの回収を行うこともできる。そして、回収されたパケットは、データ破棄判定器４５にて破棄されるべきか否かが判定され、破棄されるべきと判定されなかったパケットについては、データ分配器４３がその時点でデータ送信基地局決定器４２にて決定された１または複数の基地局に再分配する。
【０１３７】
一方、受信時刻と現在時刻から得られた滞留時間が所定時間以上となるパケットは、他のデータを遅滞なく配信することを優先させるという観点から、破棄される。
【０１３８】
上記説明したように、本発明の第４の実施の形態によれば、待ち行列情報、伝送路情報、メディア情報のいずれかまたはそれら複数の組み合わせに基づいて移動機と通信を行う基地局が決定されると共に、その決定された基地局へのデータの配分量が決定され、更に、各基地局において、上記待ち行列、伝送路情報、メディア情報のいずれかまたはそれらの組み合わせに基づいてデータの送信タイミングが制御されるようにしているので、移動機に対して情報を配信する際に、移動機は配信された情報をより良好な状態で受信することができる。
【０１３９】
以上、説明したように、本願発明によれば、無線伝送路の状態を考慮してバースト信号の送信時期（バースト信号を送信すべきか否か）が決定されるので、バースト信号を送信する際に、その無線伝送路の状態に応じて定められる送信電力値と送信レートのいずれか一方又は両方が移動通信システムにとってできるだけ不適当にならないように、当該バースト信号の送信時期を決定することができる。
【０１４０】
また、本発明によれば、移動機に配信すべき情報が複数の基地局に分配され、該複数の基地局のそれぞれから分配された情報が移動機に対して送信されるので、その配信すべき情報が分配される基地局の状態、情報が分配される各基地局と移動機との間の無線伝送路の状態、情報の分配量等、その配信すべき情報の分配のし方により、情報の配信の態様を適応的に変えることが可能となる。その結果、移動機と通信を行う基地局を比較的長い周期にて決定するようにしても、（例えば、伝送路の測定の周期を長くしても）、その情報の配分のし方により、より適切な態様での情報配信が可能になる。従って、情報配信に係る制御量をできるだけ少なくしつつ、移動機での情報の受信ができるだけ良好な状態でなされるように当該移動機への情報の配信が可能となる。
【図面の簡単な説明】
【０１４１】
【図１】本発明の実施の形態に係るバースト信号の送信方法及び装置が適用される移動通信システムの構成例を示すブロック図である。
【図２】本発明の第１の実施の形態による移動通信システムにおける送受信系の第一の例を示すブロック図である。
【図３】第１の実施の形態による移動通信システムにおける送受信系の第二の例を示すブロック図である。
【図４】第１の実施の形態による移動通信システムにおける送受信系の第三の例を示すブロック図である。
【図５】第１の実施の形態による移動通信システムにおける送受信系の第四の例を示すブロック図である。
【図６】第１の実施の形態による移動通信システムにおける送受信系の第五の例を示すブロック図である。
【図７】本発明の第２の実施の形態による移動通信システムにおける送受信系を示すブロック図である。
【図８】図７に示す送信可否決定器の動作を示すフローチャートである。
【図９】本発明の第３の実施の形態による移動通信システムにおける送受信系を示すブロック図である。
【図１０】図９に示す送信可否決定器の動作を示すフローチャートである。
【図１１】本発明の実施の形態で用いられる待ち行列ユニットの一構成例を示す図である。
【図１２】本発明の実施の形態において直前の基準送信値をも反映して送信可否基準を決めるアルゴリズムを示すフローチャートである。
【図１３】本発明の実施の形態において、受信側送信可否判定を送信装置へ送信する構成の受信装置の一構成例を示すブロック図である。
【図１４】本発明の実施の形態で用いられる送信装置の動作を示すフローチャートである。
【図１５】本発明の第４の実施の形態による情報配信方法及び情報配信制御装置が適用される移動体通信システムの基本的な構成例を示すブロック図である。
【図１６】図１５に示す移動体通信システムでの下り方向の通信に係る制御局、基地局、移動機の構成を示すブロック図である。
【図１７】図１５及び図１６に示す各基地局の構成例を示す図である。
【図１８】図１５及び図１６に示す制御局の動作を示すフローチャートである。
【図１】
2005006358.tif 000003
【図２】
2005006358.tif 000004
【図３】
2005006358.tif 000005
【図４】
2005006358.tif 000006
【図５】
2005006358.tif 000007
【図６】
2005006358.tif 000008
【図７】
2005006358.tif 000009
【図８】
2005006358.tif 000010
【図９】
2005006358.tif 000011
【図１０】
2005006358.tif 000012
【図１１】
2005006358.tif 000013
【図１２】
2005006358.tif 000014
【図１３】
2005006358.tif 000015
【図１４】
2005006358.tif 000016
【図１５】
2005006358.tif 000017
【図１６】
2005006358.tif 000018
【図１７】
2005006358.tif 000019
【図１８】
2005006358.tif 000020